(57)【要約】【課題】登録された利用者の個人情報が正しいことを証明し、不正な認証を防いで強固なセキュリティが確保できる個人情報保存・認証システムを提供する。【解決手段】  固定通信回線の利用者の契約者情報が格納された固定通信サービス事業者の顧客管理サーバ１と、携帯通信回線の利用者の契約者情報が格納された携帯通信サービス事業者の顧客管理サーバ２と、前記顧客管理サーバ１，２と固定ネットワーク５を介して接続された家庭内端末３と、前記顧客管理サーバ２と携帯ネットワーク７を介して接続された、前記利用者４が保有する携帯端末６と、個人情報データベース３０とを備え、前記データベース３０に登録された個人情報を、前記顧客管理サーバ１，２内の契約者情報と照合して、登録された個人情報が正しいことを証明し、携帯端末６から家庭内端末３への接続要求時には、パスワードだけでなく、携帯通信回線および固定通信回線を用いて認証を行う。【選択図】図１
2009296387.tif 000002
【特許請求の範囲】
【請求項１】
固定通信回線の利用者の契約者情報が格納された固定通信サービス事業者の顧客管理サーバと、携帯通信回線の利用者の契約者情報が格納された携帯通信サービス事業者の顧客管理サーバと、前記固定通信サービス事業者の顧客管理サーバおよび携帯通信サービス事業者の顧客管理サーバと固定網ネットワークを介して接続され、固定通信サービス事業者が提供するサービスを受ける家庭内端末と、前記携帯通信サービス事業者の顧客管理サーバと携帯ネットワークを介して接続された、前記利用者が保有する携帯端末と備え、
前記家庭内端末、固定通信サービス事業者の顧客管理サーバ、携帯通信サービス事業者の顧客管理サーバ、又は他の個人情報管理サーバのいずれかに利用者の個人情報が格納された個人情報保存・認証システムであって、
前記携帯通信サービス事業者の顧客管理サーバは、
前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に携帯通信回線の認証を付与する機能と、
前記携帯端末から家庭内端末への接続要求時に、当該サーバ内に格納されている、前記携帯端末を保有する利用者の携帯通信回線の契約者情報を、前記固定通信サービス事業者の顧客管理サーバに通知する機能とを備え、
固定通信サービス事業者の顧客管理サーバは、
前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に固定通信回線の認証を付与する機能と、
前記携帯端末から家庭内端末への接続要求時に、前記携帯通信サービス事業者の顧客管理サーバから送られてきた、該携帯端末を保有する利用者の携帯通信回線の契約者情報を家庭内端末へ通知する機能とを備え、
前記家庭内端末は、
前記携帯端末から家庭内端末への接続要求時に、前記固定通信サービス事業者の顧客管理サーバから通知された、前記携帯端末を保有する利用者の携帯通信回線の契約者情報と、前記認証が付与されている携帯通信回線とを照合し、一致する場合に前記携帯端末に対して接続許可を出す機能を備えている
ことを特徴とする個人情報保存・認証システム。
【請求項２】
固定通信回線の利用者の契約者情報が格納された固定通信サービス事業者の顧客管理サーバと、携帯通信回線の利用者の契約者情報が格納された携帯通信サービス事業者の顧客管理サーバと、前記固定通信サービス事業者の顧客管理サーバおよび携帯通信サービス事業者の顧客管理サーバと固定網ネットワークを介して接続され、固定通信サービス事業者が提供するサービスを受ける家庭内端末と、前記携帯通信サービス事業者の顧客管理サーバと携帯ネットワークを介して接続された、前記利用者が保有する携帯端末と備え、
前記家庭内端末、固定通信サービス事業者の顧客管理サーバ、携帯通信サービス事業者の顧客管理サーバ、又は他の個人情報管理サーバのいずれかに利用者の個人情報が格納されたシステムにおける個人情報保存・認証方法であって、
固定通信サービス事業者の顧客管理サーバが、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に固定通信回線の認証を付与する固定通信回線の認証情報付与ステップと、
前記携帯通信サービス事業者の顧客管理サーバが、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に携帯通信回線の認証を付与する携帯通信回線の認証情報付与ステップと、
前記携帯通信サービス事業者の顧客管理サーバが、前記携帯端末から家庭内端末への接続要求時に、前記携帯端末からの接続要求を受けて、当該サーバ内に格納されている、前記携帯端末を保有する利用者の携帯通信回線の契約者情報を、前記固定通信サービス事業者の顧客管理サーバに通知する第１の通知ステップと、
固定通信サービス事業者の顧客管理サーバが、前記携帯端末から家庭内端末への接続要求時に、前記第１の通知ステップにより通知されてきた、該携帯端末を保有する利用者の携帯通信回線の契約者情報を家庭内端末へ通知する第２の通知ステップと、
前記家庭内端末が、前記携帯端末から家庭内端末への接続要求時に、前記第２の通知ステップにより通知されてきた、前記携帯端末を保有する利用者の携帯通信回線の契約者情報と、前記携帯通信回線の認証情報付与ステップにより付与された携帯通信回線とを照合し、一致する場合に前記携帯端末に対して接続許可を出すステップとを備えている
ことを特徴とする個人情報保存・認証方法。
【発明の詳細な説明】
【技術分野】
【０００１】
本発明は、家庭内のＰＣなどの情報端末から個人情報をＷｅｂサービスの事業者に提供してユーザ登録を行い、登録後に携帯端末から家庭内の情報家電を制御するときに認証を行う個人情報保存・認証システム及び個人情報保存・認証方法に関する。
【背景技術】
【０００２】
従来、例えばＷｅｂサービスを利用するためにユーザ登録を行う際に、利用者の個人情報（氏名、住所、電話番号等）を保護しつつ、必要な状況に応じて必要な情報だけを提供するという方式が提案されている（特許文献１参照）。
【０００３】
また家庭内のＰＣと所有する携帯電話を組み合わせた認証方式も提案されている（特許文献２参照）。
【特許文献１】特開２００３−３４５９３１号公報
【特許文献２】特開２００７−１７２０５３号公報
【発明の開示】
【発明が解決しようとする課題】
【０００４】
前記特許文献１の方式では、そもそも、登録された個人情報が正しいかどうかをオンラインで確認する手段はなく、登録された情報を信じるか、免許証などの公的証明書をＦＡＸや電子メールの添付ファイルとして別途送信する必要があった。
【０００５】
また、特許文献２の方式でも、家庭内ＰＣと携帯電話が同一の所有者であるかどうかは確認できないという問題が残ったままである。
【０００６】
また、ユーザ登録後にユーザがそのサービスを利用したり、家庭内の情報家電にアクセスするときに、ユーザＩＤとパスワードを用いる場合に、パスワードを盗まれて成りすましされる可能性がある。
【０００７】
このように家庭内の機器と、携帯電話が間違いなく同一の個人に属することをオンラインで確認できる手段が必要とされている。
【０００８】
本発明は上記課題を解決するものであり、その目的は、登録された利用者の個人情報が正しいことを証明し、不正な認証を防いで強固なセキュリティが確保できる個人情報保存・認証システムおよび個人情報保存・認証方法を提供することにある。
【課題を解決するための手段】
【０００９】
上記課題を解決するために請求項１に記載の個人情報保存・認証システムは、固定通信回線の利用者の契約者情報が格納された固定通信サービス事業者の顧客管理サーバと、携帯通信回線の利用者の契約者情報が格納された携帯通信サービス事業者の顧客管理サーバと、前記固定通信サービス事業者の顧客管理サーバおよび携帯通信サービス事業者の顧客管理サーバと固定網ネットワークを介して接続され、固定通信サービス事業者が提供するサービスを受ける家庭内端末と、前記携帯通信サービス事業者の顧客管理サーバと携帯ネットワークを介して接続された、前記利用者が保有する携帯端末と備え、前記家庭内端末、固定通信サービス事業者の顧客管理サーバ、携帯通信サービス事業者の顧客管理サーバ、又は他の個人情報管理サーバのいずれかに利用者の個人情報が格納された個人情報保存・認証システムであって、前記携帯通信サービス事業者の顧客管理サーバは、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に携帯通信回線の認証を付与する機能と、前記携帯端末から家庭内端末への接続要求時に、当該サーバ内に格納されている、前記携帯端末を保有する利用者の携帯通信回線の契約者情報を、前記固定通信サービス事業者の顧客管理サーバに通知する機能とを備え、固定通信サービス事業者の顧客管理サーバは、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に固定通信回線の認証を付与する機能と、前記携帯端末から家庭内端末への接続要求時に、前記携帯通信サービス事業者の顧客管理サーバから送られてきた、該携帯端末を保有する利用者の携帯通信回線の契約者情報を家庭内端末へ通知する機能とを備え、前記家庭内端末は、前記携帯端末から家庭内端末への接続要求時に、前記固定通信サービス事業者の顧客管理サーバから通知された、前記携帯端末を保有する利用者の携帯通信回線の契約者情報と、前記認証が付与されている携帯通信回線とを照合し、一致する場合に前記携帯端末に対して接続許可を出す機能を備えていることを特徴としている。
【００１０】
また、請求項２に記載の個人情報保存・認証方法は、固定通信回線の利用者の契約者情報が格納された固定通信サービス事業者の顧客管理サーバと、携帯通信回線の利用者の契約者情報が格納された携帯通信サービス事業者の顧客管理サーバと、前記固定通信サービス事業者の顧客管理サーバおよび携帯通信サービス事業者の顧客管理サーバと固定網ネットワークを介して接続され、固定通信サービス事業者が提供するサービスを受ける家庭内端末と、前記携帯通信サービス事業者の顧客管理サーバと携帯ネットワークを介して接続された、前記利用者が保有する携帯端末と備え、前記家庭内端末、固定通信サービス事業者の顧客管理サーバ、携帯通信サービス事業者の顧客管理サーバ、又は他の個人情報管理サーバのいずれかに利用者の個人情報が格納されたシステムにおける個人情報保存・認証方法であって、固定通信サービス事業者の顧客管理サーバが、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に固定通信回線の認証を付与する固定通信回線の認証情報付与ステップと、前記携帯通信サービス事業者の顧客管理サーバが、前記家庭内端末、固定通信サービス事業者の顧客管理サーバ、携帯通信サービス事業者の顧客管理サーバ、又は他の個人情報管理サーバのいずれかから個人情報の登録要求があったときに、該個人情報を当該サーバ内に格納されている契約者情報と照合し、一致する場合に携帯通信回線の認証を付与する携帯通信回線の認証情報付与ステップと、前記携帯通信サービス事業者の顧客管理サーバが、前記携帯端末から家庭内端末への接続要求時に、前記携帯端末からの接続要求を受けて、当該サーバ内に格納されている、前記携帯端末を保有する利用者の携帯通信回線の契約者情報を、前記固定通信サービス事業者の顧客管理サーバに通知する第１の通知ステップと、固定通信サービス事業者の顧客管理サーバが、前記携帯端末から家庭内端末への接続要求時に、前記第１の通知ステップにより通知されてきた、該携帯端末を保有する利用者の携帯通信回線の契約者情報を家庭内端末へ通知する第２の通知ステップと、前記家庭内端末が、前記携帯端末から家庭内端末への接続要求時に、前記第２の通知ステップにより通知されてきた、前記携帯端末を保有する利用者の携帯通信回線の契約者情報と、前記携帯通信回線の認証情報付与ステップにより付与された携帯通信回線とを照合し、一致する場合に前記携帯端末に対して接続許可を出すステップとを備えていることを特徴としている。
【発明の効果】
【００１１】
本発明によれば、登録される個人情報と、固定通信回線の契約書情報との一致を確実にすることができる。
【００１２】
また、登録される個人情報と、携帯通信サービス事業者の契約内容との一致を確実にすることができる。
【００１３】
また、アクセス回線は物理的なものであるため、成りすましはできないので、ユーザの認証をパスワードで行う方法と比べて、信頼性が高まる。
【発明を実施するための最良の形態】
【００１４】
以下、図面を参照しながら本発明の実施の形態を説明するが、本発明は下記の実施形態例に限定されるものではない。
【００１５】
図１は本発明の一実施形態例のシステム構成を示している。図１において、１は、固定通信サービス事業者（例えば固定電話サービス事業者）が所有する顧客管理サーバであり、２は、携帯通信サービス事業者（例えば携帯電話サービス事業者）が所有する顧客管理サーバである。
【００１６】
３は、利用者４が使用する家庭内の端末であり、固定網ネットワーク（固定通信回線）５を介して前記固定通信サービス事業者の顧客管理サーバ１および携帯通信サービス事業者の顧客管理サーバ２に接続される。
【００１７】
６は、利用者４が使用する携帯端末（例えば携帯電話）であり、携帯ネットワーク（携帯通信回線）７を介して携帯通信サービス事業者の顧客管理サーバ２に接続される。
【００１８】
尚３０は、家庭内端末３に保存された、利用者４の氏名、住所、電話番号等の個人情報が格納される個人情報データベースであるが、この個人情報データベース３０は、家庭内端末３に限らず、前記固定通信サービス事業者の顧客管理サーバ１、携帯通信サービス事業者の顧客管理サーバ２、又は図示しない他の個人情報管理サーバ（例えば他のサービス・プロバイダ）内に保存しても良い。
【００１９】
前記固定通信事業者の顧客管理サーバ１は、利用者４に各種のサービスを提供する、例えば固定電話サービス事業者が管理する顧客管理サーバであり、通常であれば世帯主の個人情報が契約者として格納されている。
【００２０】
この顧客管理サーバ１は、家庭内端末３、又は図示しない他の個人情報管理サーバから個人情報の認証要求があったときに、該情報と当該サーバ１に格納されている契約者情報とを照合して一致している場合に前記情報に認証を与える機能を有する。
【００２１】
前記携帯通信事業者の顧客管理サーバ２は、例えば、携帯電話サービス事業者が管理する顧客管理サーバであり、通常であれば世帯主の個人情報が契約者として格納されるとともに、その世帯に属し携帯電話を使用する家族の個人情報も格納されている。
【００２２】
この顧客管理サーバ２は、家庭内端末３、又は図示しない他の個人情報管理サーバから個人情報の認証要求があったときに、該情報と当該サーバ２に格納されている契約者情報とを照合して一致している場合に前記情報に認証を与える機能を有する。
【００２３】
家庭内端末３は、例えば固定電話サービス事業者（前記顧客管理サーバ１）が提供するサービスを利用するために家庭内に設置する機器であり、設置する固定網ネットワーク５の終端装置であるが、ここではより広い意味にとらえており、具体的にはＨｏｍｅ  ＧａｔｅＷａｙ、ＳＴＢ（Ｓｅｔ  Ｔｏｐ  Ｂｏｘ）、ＴＶ受像機、ＤＶＲ（Ｄｉｇｉｔａｌ  Ｖｉｄｅｏ  Ｒｅｃｏｒｄｅｒ）などを含んだ総称として使用している。
【００２４】
この家庭内端末３は、前記携帯端末６から家庭内端末３への接続要求時に、前記固定通信サービス事業者の顧客管理サーバ１から通知された、前記携帯端末６を保有する利用者の携帯通信回線の契約者情報と、前記認証が付与されている個人情報（携帯通信回線）とを照合し、一致する場合に前記携帯端末６に対して接続許可を出す機能を備えている。
【００２５】
携帯端末６は、利用者４が保有する例えば携帯電話であり、利用者４と携帯電話は１：多の対応にある。また利用者４としては、家庭内端末３を設置している世帯に属する家族を想定しているため、家庭内端末：家族も１：多の関係にある。
【００２６】
以下、固定通信サービス事業者が固定電話サービス事業者であり、携帯通信サービス事業者が携帯電話サービス事業者であり、携帯端末６が携帯電話である場合の実施例を説明する。但し本発明は前記固定電話、携帯電話に限定されるものではない。
【００２７】
本実施例においては、家庭内端末３に登録された氏名、住所、固定電話番号、携帯電話番号などを、固定電話、及び携帯電話サービス事業者が持つ顧客管理サーバ１、２内の顧客管理情報と照合し、登録された個人情報が正しいことを証明する。
【００２８】
また、個人情報データベース３０内の情報が書き換えられた時には、以前保存した個人情報データベース３０内の情報は回線認証が与えられていない状態になり、再度登録の手続きを済ますまで、この状態は維持される。
【００２９】
また、携帯電話を使って家庭内機器（家庭内端末３が制御する図示省略の機器）を操作するために家庭内端末３にアクセスする際の認証方式に、パスワードだけではなく、携帯電話と固定電話の回線認証を使う。
【００３０】
次に図１のシステムにおける初期登録時の処理を図２のシーケンス図とともに説明する。
（ステップ１−１）  まず利用者４が世帯主及び家族の情報登録を要求するために、家庭内端末３を操作すると、該端末３から固定電話サービス事業者の顧客管理サーバ１に、固定電話契約情報の参照要求が送信される。
（ステップ１−２）  前記顧客管理サーバ１は前記参照要求を受けると、該サーバ１に格納されている契約者情報と照合して発信者番号を確認し、一致する場合は家庭内端末３に固定通信回線の認証情報を発行する。これにより利用者４は前記認証されたことを知る。
（ステップ１−３）  次に家庭内端末３から携帯電話サービス事業者の顧客管理サーバ２に、携帯電話契約情報の参照要求が発信される。
（ステップ１−４）  前記顧客管理サーバ２は前記参照要求を受けると、該サーバ２に格納されている契約者情報と照合し、一致する場合は携帯電話に確認要求を発信する。
（ステップ１−５）  携帯電話に確認要求がなされると、例えば携帯電話への着信などによって利用者４がそれを確認し、携帯電話を操作して確認したことを携帯電話サービス事業者の顧客管理サーバ２に返送する。
（ステップ１−６）  前記顧客管理サーバ２は、前記携帯電話からの発信者番号を確認し、家庭内端末３に携帯電話回線の認証情報を発行する。これにより利用者４は前記認証されたことを知る。
【００３１】
図２の構成例は「個人情報」が利用者側の家庭内端末３側に保存される場合を示しているが、個人情報が、固定通信サービス事業者の顧客管理サーバ１、又は携帯通信サービス事業者の顧客管理サーバ２、又はその他のサービス・プロバイダ（図示省略）に保存される場合も同様である。
【００３２】
次に、図１のシステムにおける、携帯電話を使って家庭内機器を操作するときの認証処理を図３のシーケンス図とともに説明する。
（ステップ２−１）  まず利用者４が携帯電話を操作すると、携帯電話は家庭内端末３への接続要求を携帯電話サービス事業者の顧客管理サーバ２に発信する。
（ステップ２−２）  前記顧客管理サーバ２は、前記接続要求のあった携帯電話の発信者番号を取得し、該発信者番号を固定電話サービス事業者の顧客管理サーバ１に通知する。
（ステップ２−３）  前記顧客管理サーバ１は前記携帯電話の発信者番号を家庭内端末３に通知する。
（ステップ２−４）  家庭内端末３は、顧客管理サーバ１から通知された携帯電話の発信者番号と呼び出し電話番号とを、個人情報データベース３０内に登録されている個人情報と照合し、一致している場合は、利用者４に対してパスワードを要求する。
（ステップ２−５）  利用者４は家庭内端末３にパスワードを入力し、家庭内端末３は該パスワードを照合し、そのパスワードが利用者４が予め登録していたパスワードと一致していたら、携帯電話に対して許可信号を送出する。
【００３３】
尚本発明は、個人情報の保存場所には依存しない。  
【００３４】
また前記のように固定電話や携帯電話の契約者情報によって確認された個人情報は、利用者の承諾が得られれば、他のサービス・プロバイダに適宜提供することができる。この情報を受け取るサービス・プロバイダにとっては、なりすましの可能性がない信用度の高い情報となる。
【図面の簡単な説明】
【００３５】
【図１】本発明の一実施形態例を示すシステム構成図。
【図２】図１のシステムにおける初期登録の処理を示すシーケンス図。
【図３】図１のシステムにおける認証の処理を示すシーケンス図。
【符号の説明】
【００３６】
１…固定通信サービス事業者の顧客管理サーバ、２…携帯通信サービス事業者の顧客管理サーバ、３…家庭内端末、４…利用者、５…固定網ネットワーク、６…携帯端末、７…携帯ネットワーク、３０…個人情報データベース。
【図１】
2009296387.tif 000003
【図２】
2009296387.tif 000004
【図３】
2009296387.tif 000005